(57)【要約】【課題】交換カプセルタイプのコンデンサマイクロホンにおいて、マイクロホンカプセル交換時の感度調整を容易に行えるようにする。【解決手段】振動板と背極とを対向させてなるマイクユニット２１を含むマイクロホンカプセル２０を、音声信号出力用の電気回路が内蔵されたグリップ部に対して交換可能としたコンデンサマイクロホンにおいて、マイクロホンカプセル２０内に、例えば２つのパッド用コンデンサを設け、切替スイッチ２５によりマイクユニット２１の有効静電容量に対してパッド用コンデンサを選択的に並列接続可能とすることにより、別部品としてのパッドリングなどを必要とすることなく、マイクロホンカプセルをグリップ部に取り付けたままの状態で、パッド用コンデンサによる減衰率を適宜選択することができるようにする。【選択図】　図２
2004023705.tif 000002
【特許請求の範囲】
【請求項１】
振動板と背極とを対向させてなるマイクユニットを含むマイクロホンカプセルと、上記マイクユニットからの信号を処理して出力する音声信号出力用の電気回路が内蔵されたグリップ部とを備え、上記グリップ部に対して上記マイクロホンカプセルが交換可能であるコンデンサマイクロホンにおいて、
上記マイクロホンカプセル内には、少なくとも一つのパッド用コンデンサと、上記マイクユニットの有効静電容量に対して上記パッド用コンデンサを選択的に並列接続する切替スイッチとが設けられていることを特徴とするコンデンサマイクロホン。
【発明の詳細な説明】
【０００１】
【発明の属する技術分野】
本発明は、交換カプセルタイプのコンデンサマイクロホンに関し、さらに詳しく言えば、感度調整用のパッド（ＰＡＤ）用コンデンサを備えたコンデンサマイクロホンに関するものである。
【０００２】
【従来の技術】
コンデンサマイクロホンにおいて、減衰器（ＰＡＤ）は過大な音圧が加えられたときに発生する音の歪みを防止するために用いられている。この過大な音圧による音の歪みは、主としてインピーダンス変換器や音声信号出力回路などの電気回路によって発生する。
【０００３】
この音の歪みは、マイクロホンの電気回路への入力を小さくすることにより防止できる。そのため、振動板と背極とを対向させてなるマイクユニットの有効静電容量に対してコンデンサを並列に接続して、電気回路の入力端子に加わる信号電圧を小さくするようにしている。このコンデンサがパッド（ＰＡＤ）用コンデンサである。
【０００４】
ところで、マイクロホンカプセルは、あらかじめ特定の指向性を示すように設計されている。一部の機種には、一つのマイクロホンカプセルで指向性を切り替えられるようにしたものがあるが、マイクロホンの指向性を変えたい場合、通常では、グリップ部（マイクロホン本体）を共通として、そのグリップ部に対して複数のマイクロホンカプセルを交換可能とした交換カプセルタイプのマイクロホンが用いられている。
【０００５】
マイクロホンの指向性には、カージオイド，オムニ，ハイパーカージオイド，双方向性それに無指向性などがあり、指向性が異なることによって設計上静電容量も異なった値となる。これは、それぞれの指向性での制御方式が異なることに起因している。
【０００６】
例えば、オムニは弾性制御であり、双方性は抵抗制御である。また、カージオイドは弾性制御と抵抗制御の両方の性質を有し、ハイパーカージオイドはカージオイドより抵抗制御的性質を有する。
【０００７】
このため、指向周波数応答を良好とし、マイクロホンカプセルを交換しても感度が同じになるように設計すると、それぞれの指向性で静電容量が異なることになる。パッド用コンデンサによる適正な減衰率は、マイクロホンカプセルの静電容量との関係で決められるため、各マイクロホンカプセルごとにパッド用コンデンサも変える必要がある。
【０００８】
そこで従来では、マイクロホンカプセルを交換する際には、そのカプセルに合った減衰率を有するパッドリングと呼ばれる減衰器を選択し、そのパッドリングを介してマイクロホンカプセルをグリップ部内の音声信号出力回路など接続するようにしている。
【０００９】
【発明が解決しようとする課題】
しかしながら、パッドリングはマイクロホンのアクセサリー部品で、別途に購入しなくてはならないし、また、比較的小さな部品であるため紛失しやすい。そればかりでなく、例えば−１０ｄＢ用と−２０ｄＢ用とがある場合、いずれが最適かを知るには、実際にパッドリングを取り替えてみる必要があるため、その操作が煩わしい。
【００１０】
したがって、本発明の課題は、別部品としてのパッドリングなどを必要とすることなく、マイクロホンカプセルをグリップ部に取り付けたままの状態で、パッド用コンデンサによる減衰率を適宜選択できるようにすることにある。
【００１１】
【課題を解決するための手段】
上記課題を解決するため、本発明は、振動板と背極とを対向させてなるマイクユニットを含むマイクロホンカプセルと、上記マイクユニットからの信号を処理して出力する音声信号出力用の電気回路が内蔵されたグリップ部とを備え、上記グリップ部に対して上記マイクロホンカプセルが交換可能であるコンデンサマイクロホンにおいて、上記マイクロホンカプセル内には、少なくとも一つのパッド用コンデンサと、上記マイクユニットの有効静電容量に対して上記パッド用コンデンサを選択的に並列接続する切替スイッチとが設けられていることを特徴としている。
【００１２】
この構成によれば、マイクロホンカプセルをパッドリングなどを介することなく直接グリップ部に取り付けた状態で、切替スイッチを操作するだけで所定の減衰率を選択することができる。
【００１３】
【発明の実施の形態】
次に、図１ないし図４により、本発明の実施形態について説明する。図１は本発明によるコンデンサマイクロホンのグリップ部とマイクロホンカプセルとを分離した状態の正面図で、図２はマイクロホンカプセルの図１におけるＡ−Ａ線断面図である。
【００１４】
このコンデンサマイクロホンは交換カプセルタイプであって、グリップ部１０と、グリップ部１０に対して着脱可能なマイクロホンカプセル２０とを備えている。図示されていないが、グリップ部１０内には、マイクロホンカプセル２０からの信号を処理して出力する音声信号出力用の電気回路や電源回路などが設けられている。
【００１５】
なお、グリップ部１０は、いゆわるマイクロホン本体のことであって、その外形形状などは任意に設計されてよい。また、グリップ部１０とマイクロホンカプセル２０との連結手段は、ねじ結合やバヨネット結合などであってよく、特に制限はない。
【００１６】
マイクロホンカプセル２０には、振動板と背極とを対向的に組み合わせてなるマイクユニット２１が収納されている。本発明において、マイクユニット２１は公知の構成であってよい。
【００１７】
マイクロホンカプセル２０内において、マイクユニット２１は合成樹脂などの非磁性体からなる支持体２２にて支持されており、マイクユニット２１の背極に取り付けられた信号検出電極２３が支持体２２を貫通して下方に引き出されている。
【００１８】
マイクロホンカプセル２０の底部側には回路基板２４が配置されており、信号検出電極２３の下端は、グリップ部１０側の図示しない接続端子と接続可能とするため、回路基板２４の底面側に露出されている。この回路基板２４の部品実装面側の平面図を図３に模式的に示す。
【００１９】
本発明にとって必要なところだけを説明すると、回路基板２４には、例えば２つのパッド用コンデンサＣ１，Ｃ２と、このパッド用コンデンサＣ１，Ｃ２のいずれか一方をマイクユニット２１に対して並列的に接続するか、もしくは双方ともマイクユニット２１に接続しない３接点の切替態様を有する切替スイッチ２５とが実装されている。
【００２０】
この例において、切替スイッチ２５はスライド式であって、その切替操作を容易とするため、切替スイッチ２５の摘み２５１はマイクロホンカプセル２０の周面の一部に露出するように配置されている。
【００２１】
図４の結線図に示すように、マイクユニット２１から上記信号検出電極２３に含まれる信号ライン２３ａとアース側のコモンライン２３ｂとが引き出されているとして、この例において、パッド用コンデンサＣ１，Ｃ２の一端はいずれもコモンライン２３ｂ側に接続されている。
【００２２】
切替スイッチ２５は、共通端子２５ａと、共通端子２５ａに対して摘み２５１によって択一的に接続される３つの切替端子２５ｂ〜２５ｄとを備え、共通端子２５ａは信号ライン２３ａに接続されている。
【００２３】
切替端子２５ｂには、一方のパッド用コンデンサＣ１の他端が接続され、切替端子２５ｄには、他方のパッド用コンデンサＣ２の他端が接続されている。中間の切替端子２５ｃは、中性端子で電気的に浮いた端子とされている。
【００２４】
一例として、マイクユニット２１の有効静電容量Ｃｂが２０ｐＦ，一方のパッド用コンデンサＣ１の静電容量が２００ｐＦ，他方のパッド用コンデンサＣ２の静電容量が６０ｐＦであるとする。
【００２５】
切替スイッチ２５の摘み２５１を図１の中立位置から例えば右側にスライドさせて、切替スイッチ２５を切替端子２５ｂ側に切り替えると、マイクユニット２１の有効静電容量Ｃｂに対して、一方のパッド用コンデンサＣ１が並列的に接続され、−２０ｄＢの減衰率が得られる。
【００２６】
これに対して、切替スイッチ２５の摘み２５１を図１の中立位置から例えば左側にスライドさせて、切替スイッチ２５を切替端子２５ｄ側に切り替えると、マイクユニット２１の有効静電容量Ｃｂに対して、他方のパッド用コンデンサＣ２が並列的に接続され、−１０ｄＢの減衰率が得られることになる。
【００２７】
なお、切替スイッチ２５の摘み２５１を図１の中立位置とした状態では、切替端子２５ｃが選択され、マイクユニット２１の有効静電容量Ｃｂに対して、パッド用コンデンサＣ１，Ｃ２いずれも接続されず減衰率０ｄＢである。
【００２８】
このように、本発明においては、交換可能とされるマイクロホンカプセル２０自体にパッド用コンデンサを持たせ、その減衰率を切替スイッチにて選択できるようにしたことにより、別部品としてのパッドリングなどを用いることなく感度調整を行うことができる。
【００２９】
なお、上記実施形態では、マイクロホンカプセル２０に２つのパッド用コンデンサをＣ１，Ｃ２を搭載しているが、パッド用コンデンサの数は適宜選択することができる。また、切替スイッチ２５を機械式スイッチとしているが、電子スイッチに代えることも可能である。
【００３０】
【発明の効果】
以上説明したように、本発明によれば、振動板と背極とを対向させてなるマイクユニットを含むマイクロホンカプセルを、音声信号出力用の電気回路が内蔵されたグリップ部に対して交換可能としたコンデンサマイクロホンにおいて、マイクロホンカプセル内に、少なくとも一つのパッド用コンデンサと、マイクユニットの有効静電容量に対してパッド用コンデンサを選択的に並列接続する切替スイッチとを設けたことにより、別部品としてのパッドリングなどを必要とすることなく、マイクロホンカプセルをグリップ部に取り付けたままの状態で、パッド用コンデンサによる減衰率を適宜選択することができ、マイクロホンカプセル交換時の感度調整が容易に行える。
【図面の簡単な説明】
【図１】本発明によるコンデンサマイクロホンのグリップ部とマイクロホンカプセルとを分離した状態の正面図。
【図２】上記マイクロホンカプセルの図１のＡ−Ａ線に沿った断面図。
【図３】上記マイクロホンカプセルが備える回路基板の概略的な平面図。
【図４】上記マイクロホンカプセルのマイクユニットに対するパッド用コンデンサの接続状態を説明するための結線図。
【符号の説明】
１０　グリップ部
２０　マイクロホンカプセル
２１　マイクユニット
２２　支持体
２３　検出電極
２４　回路基板
２５　切替スイッチ
２５１　摘み
Ｃ１，Ｃ２　パッド用コンデンサ
【図１】
2004023705.tif 000003
【図２】
2004023705.tif 000004
【図３】
2004023705.tif 000005
【図４】
2004023705.tif 000006